(57)【要約】【課題】施錠箇所が特定しにくく、ガラス障子を破壊して解錠する行為をきわめて高い精度で効果的に防止することができる窓用施錠装置を提供する。【解決手段】  窓用施錠装置１は、ガラス障子１１ａ，１１ｂの竪框６ａ，６ｂの端縁から内部へ挿入可能な固定板４と、その固定板４を、各竪框６ａ，６ｂの内部へ挿入した位置と各竪框６ａ，６ｂの内部から退出した位置とに変位させるモータ３とからなるものであり、固定板４を収納したハウジング２が窓枠１２の外側の壁内に埋設されている。そして、操作パネル８上の施錠スイッチ９ａがプッシュ操作されると、モータ３の軸が反時計方向に回転し、ラック・ピニオン機構によって固定板４が下降し、固定板４の先端の二股部分が、各竪框６ａ，６ｂの端縁から内部へ入り込むことによって、ガラス障子１１ａ，１１ｂの水平方向へのスライドが制止される。【選択図】図１
2007231584.tif 000002
【特許請求の範囲】
【請求項１】
窓枠にスライド開閉可能に設けられた一対の障子を固定するための施錠装置であって、
障子が閉じられた状態で重なり合う２つの竪框の端縁に対向するように窓枠の外側に設けられており、前記２つの竪框の端縁から内部へ挿入可能な固定板と、
その固定板を、前記２つの竪框の内部へ挿入した位置と２つの竪框の内部から退出した位置とに変位させる駆動装置とからなることを特徴とする窓用施錠装置。
【請求項２】
前記固定板がハウジング内に収納されていることを特徴とする請求項１に記載の窓用施錠装置。
【請求項３】
前記ハウジングが窓枠の外側の壁内に埋設されていることを特徴とする請求項１、または請求項２に記載の窓用施錠装置。
【請求項４】
前記駆動装置が、軸先にピニオンギアを設けたモータであるとともに、前記固定板がラックを設けたものであり、
前記固定板が、ラックを前記モータのピニオンギアに歯合させた状態で変位することを特徴とする請求項１〜３のいずれかに記載の窓用施錠装置。
【請求項５】
前記固定板の変位状態を報知するための報知手段が設けられていることを特徴とする請求項１〜４のいずれかに記載の窓用施錠装置。
【請求項６】
前記駆動装置がリモートコントロール可能に設けられていることを特徴とする請求項１〜５のいずれかに記載の窓用施錠装置。
【発明の詳細な説明】
【技術分野】
【０００１】
本発明は、サッシ窓等にスライド可能に設けられたガラス障子等の障子を閉じた状態で保持するための施錠装置に関するものである。
【背景技術】
【０００２】
一対のガラス障子をスライド可能に設けた窓枠の施錠装置として、片方のガラス障子の竪框の外側にクレセントを回動可能に設けるとともに、他方のガラス障子の竪框の内側にクレセント受けを設け、クレセントを回動させてクレセント受けに係合させることによって施錠するタイプの施錠装置（いわゆるクレセント錠）が知られている（特許文献１）。
【０００３】
【特許文献１】特開平１０−１７６４５２号公報
【発明の開示】
【発明が解決しようとする課題】
【０００４】
しかしながら、上記したクレセント錠は、窓の外側からクレセントおよびクレセント受けの位置が直ちに認識できるため、ガラス障子のクレセント設置部分を割り、ドライバー等の治具を利用して、クレセントを解錠方向へ回動させ、ガラス障子を開放して屋内に侵入するタイプの犯罪を阻止することができない。
【０００５】
本発明の目的は、上記従来の施錠装置の問題点を解消し、施錠位置を容易に特定することができず、不法侵入者によってガラス障子等の障子が無理矢理こじ開けられる事態を効果的に防止することができる施錠装置を提供することにある。
【課題を解決するための手段】
【０００６】
本発明の内、請求項１に記載された発明の構成は、窓枠にスライド開閉可能に設けられた一対の障子を固定するための施錠装置であって、障子が閉じられた状態で重なり合う２つの竪框の端縁に対向するように窓枠の外側に設けられており、前記２つの竪框の端縁から内部へ挿入可能な固定板と、その固定板を、前記２つの竪框の内部へ挿入した位置と２つの竪框の内部から退出した位置とに変位させる駆動装置とからなることにある。
【０００７】
請求項２に記載された発明の構成は、請求項１に記載された発明において、前記固定板がハウジング内に収納されていることにある。
【０００８】
請求項３に記載された発明の構成は、請求項１、または請求項２に記載された発明において、前記ハウジングが窓枠の外側の壁内に埋設されていることにある。
【０００９】
請求項４に記載された発明の構成は、請求項１〜３のいずれかに記載された発明において、前記駆動装置が、軸先にピニオンギアを設けたモータであるとともに、前記固定板がラックを設けたものであり、前記固定板が、ラックを前記モータのピニオンギアに歯合させた状態で変位することにある。
【００１０】
請求項５に記載された発明の構成は、請求項１〜４のいずれかに記載された発明において、固定板の変位状態を報知するための報知手段が設けられていることにある。
【００１１】
請求項６に記載された発明の構成は、請求項１〜５のいずれかに記載された発明において、前記駆動装置がリモートコントロール可能に設けられていることにある。
【発明の効果】
【００１２】
請求項１に記載された窓用施錠装置は、一対の障子の各竪框の内部へ挿入して各障子を動かないように固定する固定板が竪框の端縁の外側に設けられており、窓の外部から見えにくいので、障子を破壊して解錠する行為を効果的に防止することができる。
【００１３】
請求項２に記載された窓用施錠装置は、一対の障子を動かないように固定する固定板がハウジング内に収納されており、ハウジング内の固定板を窓の外部から見ることができないので、障子を破壊して解錠する行為を非常に効果的に防止することができる。
【００１４】
請求項３に記載された窓用施錠装置は、ハウジングが窓枠の外側の壁内に埋設されており、一対の障子を固定する固定板を窓の外部から全く認識することができないので、不正解錠行為の防止機能の精度がきわめて高い。
【００１５】
請求項４に記載された窓用施錠装置は、ラック・ピニオン機構を利用して固定板を変位させる（可動させる）ものであり、駆動装置への電源供給によって固定板を確実に変位させることができるので、施錠動作にエラーが起こりにくく、施錠動作の信頼性が高い。
【００１６】
請求項５に記載された窓用施錠装置は、報知手段によって固定板の変位状態（すなわち、施錠がされているか否か）を認識することができるので、施錠のし忘れという事態を効果的に防止することができる。
【００１７】
請求項６に記載された窓用施錠装置は、駆動装置をリモートコントロールできるため、非常に利便性に優れている。
【発明を実施するための最良の形態】
【００１８】
以下、本発明の窓用施錠装置の一実施形態について、図面に基づいて詳細に説明する。図１は、窓枠の上方に窓用施錠装置が設けられた状態を示す説明図であり、図２は、図１におけるＡ−Ａ線断面を示す説明図である。窓枠１２には、一対のガラス障子１１ａ，１１ｂが、それぞれ、水平方向にスライドさせることにより開閉可能に嵌め込み設置されている。ガラス障子１１ｂの竪框（ガラス障子１１ｂを閉じた状態で内側に位置した竪框）６ｂの外側には、クレセント７ａが回動可能に設けられており、ガラス障子１１ａの竪框（ガラス障子１１ａを閉じた状態で内側に位置した竪框）６ａの内側には、クレセント受け７ｂが設けられている。そして、クレセント７ａをクレセント受け７ｂに係合させることによって、ガラス障子１１ａ，１１ｂを施錠する（動かないように固定する）ことができるようになっている。そして、窓枠１２の略中央の上方（ガラス障子１１ａ，１１ｂを閉じた状態で内側に位置して重なり合った竪框６ａ，６ｂの端縁の外側）には、本発明に係る窓用施錠装置１が設置されている。
【００１９】
窓用施錠装置１は、一対の竪框６ａ，６ｂを動かないように固定するための固定板４、固定板４を上下動させるための駆動装置であるモータ３、それらの固定板４およびモータ３を収納するためのハウジング２、モータ３を操作するための操作パネル等によって構成されている。そして、ハウジング２の部分が、窓枠１２の略中央の上方の壁内に、外部から見えないように埋設されている。
【００２０】
図３は、固定板４の設置部分を示したものである。固定板４は、硬質の合成樹脂を加工したものであり、先端（下端）が二股に分割された逆Ｙ字状に形成されている。なお、固定板４は、厚みが竪框６ａ，６ｂの幅より若干小さくなるように設計されている。そして、固定板４の基端部分の片側には、ラック４ａが設けられている。一方、固定板４の先端の二股部分１３，１３は、いずれも鉛直方向に延びた状態になっており、それらの二股部分１３，１３の間に、一定幅の間隙４ｂが設けられた状態になっている。かかる固定板４は、ハウジング２内に設けられたガイド（図示せず）によって、上下に摺動可能に保持されている。
【００２１】
また、ハウジング２は、合成樹脂によって略直方体状に形成されており、固定板４の先端の二股部分１３，１３の下側に相当する部分には、固定板４の二股部分１３，１３を挿通させるための挿通孔（図示せず）が穿設されている。さらに、窓枠１２の内、ガラス障子１１ａ，１１ｂを閉じた状態における竪框６ａ，６ｂの上側に相当する部分にも、固定板４の二股部分１３，１３を挿通させるための挿通孔（図示せず）が穿設されている。
【００２２】
一方、モータ３は、軸の先端にピニオンギア５が設けられており、そのピニオンギア５が、固定板４に設けられたラック４ａと歯合した状態になっている。かかるモータ３は、リード線１０によって、ハウジング２の外部（窓枠１２の外側の壁面）に設けられた操作パネル８に接続された状態になっている。また、操作パネル８には、固定板４を上下動させるための施錠スイッチ９ａおよび解錠スイッチ９ｂと、施錠状態であることを示す報知ランプ１４が設けられている。
【００２３】
上記の如く構成された窓用施錠装置１によってガラス障子１１ａ，１１ｂを施錠する場合には、ガラス障子１１ａ，１１ｂを閉じた状態で、操作パネル８に設けられた施錠スイッチ９ａをプッシュ操作する。施錠スイッチ９ａがプッシュ操作されると、商用電源がモータ３に供給されて、図３（ａ）の如く、モータ３の軸が反時計方向に回転する。かかるモータ３の軸の回転に伴い、モータ３の軸先のピニオンギア５と歯合したラック４ａが下側に付勢されることによって、固定板４が下降する。そのように固定板４が下降すると、固定板４の二股部分１３，１３が、それぞれ、ハウジング２および窓枠１２の挿通孔を挿通して、重なり合った各竪框６ａ，６ｂの内部へ入り込む。かかる固定板４の二股部分１３，１３の各竪框６ａ，６ｂ内への挿入により、ガラス障子１１ａ，１１ｂの動き（水平方向へのスライド）が止められることによって施錠が完了する。なお、そのように固定板４の下方への変位（移動）によって、ガラス障子１１ａ，１１ｂの施錠が行われると、操作パネル８に設けられた報知ランプ１４が点灯する。
【００２４】
上述したように、窓用施錠装置１によって、ガラス障子１１ａ，１１ｂの施錠が完了すると、外部からの不法侵入者は、クレセント付近のガラス障子を割って、クレセント７ａとクレセント受け７ｂの係合状態を解除した場合でも、ガラス障子１１ａ，１１ｂをスライドさせることができなくなる。
【００２５】
一方、ガラス障子１１ａ，１１ｂの解錠を行う場合には、操作パネル８に設けられた解錠スイッチ９ｂをプッシュ操作する。解錠スイッチ９ｂがプッシュ操作されると、図３（ｂ）の如く、モータ３の軸が時計方向に回転する。かかるモータ３の軸の回転に伴い、モータ３の軸先のピニオンギア５と歯合したラック４ａが上側に付勢されることによって、固定板４が上昇し、重なり合った各竪框６ａ，６ｂの外部へ退出する。かかる固定板４の二股部分１３，１３の各竪框６ａ，６ｂ内からの退出によって、ガラス障子１１ａ，１１ｂを水平方向へスライドさせることが可能となる。なお、そのように固定板４の上方への変位（移動）によって、ガラス障子１１ａ，１１ｂの解錠が完了すると、操作パネル８上の報知ランプ１４が消灯する。
【００２６】
窓用施錠装置１は、上記の如く、ガラス障子１１ａ，１１ｂの竪框６ａ，６ｂの端縁から内部へ挿入可能な固定板４と、その固定板４を、各竪框６ａ，６ｂの内部へ挿入した位置と各竪框６ａ，６ｂの内部から退出した位置とに変位させる駆動装置であるモータ３とからなるものであり、固定板４を収納したハウジング２が窓枠１２の外側の壁内に埋設されている。したがって、窓用施錠装置１は、ガラス障子１１ａ，１１ｂを動かないように固定するための固定板４を窓の外部から全く認識することができないので、ガラス障子１１ａ，１１ｂを破壊して解錠する行為を、きわめて高い精度で効果的に防止することができる。
【００２７】
また、窓用施錠装置１は、上記の如く、ガラス障子１１ａ，１１ｂがクレセント７ａおよびクレセント受け７ｂによって施錠可能な窓枠１２に取り付けられているので、不法侵入者に施錠機構がないと勘違いさせることにより不法侵入を助長する、という事態が生じたりしない。また、クレセント７ａおよびクレセント受け７ｂによって施錠するとともに、窓用施錠装置１によって施錠された場合には、外部からの不法侵入者は、屋内に侵入するためには、クレセント７ａ付近のガラス障子１１ａを割ってクレセント７ａとクレセント受け７ｂの係合状態を解除し、ガラス障子１１ａ，１１ｂをスライドさせようとした後に、再度、ガラス障子１１ａ，１１ｂを大きく破壊しなければならない。したがって、不法侵入者が屋内に侵入するのに必要な時間を多く稼ぐことができる上、不法侵入者に侵入の躊躇を促すことにもなる。
【００２８】
さらに、窓用施錠装置１は、固定板４に設けられたラック４ａをモータ３のピニオンギア５に歯合させた状態で固定板４を変位させるものであるため、モータ３への電源供給によって固定板４を確実に可動させることができる。したがって、施錠動作にエラーが起こりにくく、施錠動作の信頼性が高い。また、複雑な歯車機構を利用しておらず、構造がシンプルであるので、故障が少なく、メンテナンスが容易である。
【００２９】
加えて、窓用施錠装置１は、固定板４の変位状態（すなわち、施錠状態であるか否か）を報知するための報知手段である報知ランプ１４が設けられているため、報知ランプ１４によって施錠されているか否かを容易に認識することができるので、施錠のし忘れという事態を効果的に防止することができる。
【００３０】
また、窓用施錠装置１は、操作パネル８を利用してモータ３をリモートコントロールすることができるので、非常に利便性に優れている。
【００３１】
なお、本発明の窓用施錠装置の構成は、上記実施形態の態様に何ら限定されるものではなく、固定板、駆動装置、ハウジング、操作パネル等の形状、構造等の構成を、本発明の趣旨を逸脱しない範囲で、必要に応じて適宜変更することができる。
【００３２】
たとえば、固定板は、先端を二股状に形成した逆Ｙ字状のものに限定されず、図４の如く、先端を直線状に形成した逆Ｔ字状のものにすることも可能である。なお、かかる逆Ｔ字状の固定板を用いる場合には、重なり合う一対の竪框の内側の上端際の部分に、所定の長さの切り欠き（固定板の厚みより若干幅広な切り欠き）を設ける必要がある。逆に、上記実施形態の如く、先端を二股状に形成した逆Ｙ字状の固定板を用いた場合には、各ガラス障子の竪框の上端際に切り欠き等を設ける必要がない、というメリットがある。また、固定板を上下動させるための駆動装置は、モータに限定されず、ソレノイド等の別の駆動装置を用いることも可能である。さらに、固定板は、ハウジング内に設けられたガイド内を上下に摺動するものに限定されず、ハウジング内に設けられた溝内を上下にスライドするものに変更することも可能である。また、ハウジングや固定板の材質は、上記実施形態の如き合成樹脂に限定されず、金属等に変更することも可能である。なお、合成樹脂製のハウジングや固定板を用いた場合には、ハウジングを壁内に埋設した場合に腐食しにくい、というメリットがある。
【００３３】
また、窓用施錠装置の設置位置は、窓枠の上側に限定されず、窓枠の下側に設けることも可能である。さらに、窓用施錠装置は、一対の障子が左右にスライドする窓枠に設置するのみならず、一対の障子が上下にスライドする窓枠に設置することも可能である。
【００３４】
加えて、上記実施形態においては、有線により駆動装置をリモートコントロールするタイプの窓用施錠装置について説明したが、本発明の窓用施錠装置は、無線により駆動装置をリモートコントロールするタイプのものでも良い。
【００３５】
また、本発明の窓用施錠装置は、ガラス障子が閉じられた場合にのみ駆動装置が駆動するように構成することも可能である。また、そのように構成する場合には、クレセントがクレセント受けに係合されたことを検知して外部へ信号を出力するセンサをクレセントやクレセント受け等に設けて当該センサの検知信号を受信した場合にのみ駆動装置を駆動させる方法等を好適に採用することができる。
【産業上の利用可能性】
【００３６】
本発明の窓用施錠装置は、上記の如く優れた機能を奏するものであるので、障子をスライドさせるタイプの窓の施錠装置として好適に用いることができる。
【図面の簡単な説明】
【００３７】
【図１】窓用施錠装置を設置した窓枠を示す説明図である。
【図２】図１におけるＡ−Ａ線断面を示す説明図である。
【図３】固定板の設置部位を示す説明図である（（ａ）は施錠状態であり、（ｂ）は解錠状態である）。
【図４】固定板の変更例を示す説明図である（（ａ）は施錠状態であり、（ｂ）は解錠状態である）。
【符号の説明】
【００３８】
１・・窓用施錠装置、２・・ハウジング、３・・モータ（駆動装置）、４・固定板、６ａ，６ｂ・・竪框、１１ａ，１１ｂ・・ガラス障子（障子）、１２・・窓枠。
【図１】
2007231584.tif 000003
【図２】
2007231584.tif 000004
【図３】
2007231584.tif 000005
【図４】
2007231584.tif 000006